(57)【要約】      （修正有）【課題】スピーカーとマイクを前ケースに固定したもので、スピーカーから前ケースを伝ってマイクに周り込むことによるハウリングの発生を抑制する。【解決手段】スピーカ用透音孔１４とマイク用透音孔とが前面に開口された前ケース２と、前ケース２の裏側を塞いて電装基板を収容するための後ケースと、スピーカ用透音孔１４の周囲の前ケース２裏側に立設されたスピーカ保持筒部２２と、スピーカ保持筒部２２に挿入固定されたスピーカーと、マイク用透音孔に対応する位置の前ケース２裏側に固定されたマイクとを備え、スピーカ保持筒部２２の周囲の前ケース２裏側に放射状に補強リブ２５を設けた。【選択図】図２
2014192779.tif 000002
【特許請求の範囲】
【請求項１】
スピーカ用透音孔とマイク用透音孔とが前面に開口された前ケースと、前記前ケースの裏側を塞いて電装基板を収容するための後ケースと、前記スピーカ用透音孔の周囲の前記前ケース裏側に立設されたスピーカ保持筒部と、前記スピーカ保持筒部に挿入固定されたスピーカーと、前記マイク用透音孔に対応する位置の前記前ケース裏側に固定されたマイクとを備え、前記スピーカ保持筒部の周囲の前記前ケース裏側に放射状に補強リブを設けたことを特徴とするインターホン装置。
【請求項２】
前記スピーカーと前記マイクを結ぶ直線に略直交する方向に渡り前記前ケースの表側または裏側に突出する衝立状のリブを立設したことを特徴とする請求項１記載のインターホン装置。
【請求項３】
前記前ケースの前面を覆うカバーを設け、前記リブは前記前ケースの表側に突出させると共に、前記前ケース表側に突出した前記リブと平行する方向に渡って前記カバーの裏側に突出する衝立状のカバー側リブを設けたことを特徴とする請求項２記載のインターホン装置。
【発明の詳細な説明】
【技術分野】
【０００１】
本発明は、給湯機用インターホンリモコン装置などのスピーカーとマイクが同時に作動するインターホン装置に関するものである。
【背景技術】
【０００２】
従来より、この種の給湯機用のインターホンリモコン装置においては、特許文献１に示すように、前ケースと後ケースより成るケース本体と、ケース本体の正面を覆うカバーとを備え、前ケースとカバーにはそれぞれスピーカ用透音孔とマイク用透音孔が開口され、前ケースのスピーカー用透音孔とマイク用透音孔の裏面にそれぞれスピーカーとマイクが取り付けられているものであった。
【先行技術文献】
【特許文献】
【０００３】
【特許文献１】特開２００６−３３４９４号公報
【発明の概要】
【発明が解決しようとする課題】
【０００４】
ところが、この従来のものでは、インターホンの通話方式を従来の片方向切替通話方式から近年採用されてきた音声スイッチを用いた双方向同時通話方式に変えた場合、通話中はスピーカーとマイクが双方有効に作動し、前ケースにスピーカーとマイクが取り付けられているものであることから、スピーカーで発生した振動が前ケースを固体伝播し、これをマイクが拾ってハウリングが発生しやすいものであった。
【課題を解決するための手段】
【０００５】
そこで、本発明は上記課題を解決するため、スピーカ用透音孔とマイク用透音孔とが前面に開口された前ケースと、前記前ケースの裏側を塞いて電装基板を収容するための後ケースと、前記スピーカ用透音孔の周囲の前記前ケース裏側に立設されたスピーカ保持筒部と、前記スピーカ保持筒部に挿入固定されたスピーカーと、前記マイク用透音孔に対応する位置の前記前ケース裏側に固定されたマイクとを備え、前記スピーカ保持筒部の周囲の前記前ケース裏側に放射状に補強リブを設けたものとした。
【０００６】
また、前記スピーカーと前記マイクを結ぶ直線に略直交する方向に渡り前記前ケースの表側または裏側に突出する衝立状のリブを立設したものとした。
【０００７】
また、前記前ケースの前面を覆うカバーを設け、前記リブは前記前ケースの表側に突出させると共に、前記前ケース表側に突出した前記リブと平行する方向に渡って前記カバーの裏側に突出する衝立状のカバー側リブを設けたものとした。
【発明の効果】
【０００８】
本発明によれば、放射状の補強リブによって前ケースのスピーカ保持筒部周りの剛性が向上するため、スピーカーから前ケースに振動が伝わりにくくなり、スピーカーと同じく前ケースに固定されたマイクへ固体伝播する振動が減少してハウリングが起こりにくくなる。
【０００９】
また、スピーカーとマイクの間に、スピーカーとマイクを結ぶ直線に略直交する方向に渡って設けられた衝立状の裏側リブおよび／または表側リブが存在することによって、スピーカーとマイクを結ぶ直線に略直交する方向の剛性が高まり、前ケースを伝ってスピーカーから衝立状の裏側リブおよび／または表側リブを超えてマイクへ向かう振動が減衰され、マイクへ固体伝播する振動が減少してハウリングが起こりにくくなる。
【００１０】
また、カバー側リブと前ケースの表側に突出した表側リブによってカバーと前ケース間の空間を伝播する音を遮り、スピーカーからマイクに回り込む音を減少させてハウリングが起こりにくくなる。
【図面の簡単な説明】
【００１１】
【図１】本発明の一実施形態のインターホンリモコン装置の分解斜視図
【図２】同一実施形態の前ケース裏面の斜視図
【図３】同一実施形態のカバー裏面の斜視図
【発明を実施するための形態】
【００１２】
次に、本発明の一実施形態のインターホンリモコン装置について、図面に基づいて説明する。
【００１３】
図１はインターホンリモコン装置１の分解斜視図で、内蔵部品の前面側を覆う前ケース２と、後面側を覆う後ケース３とで構成される薄い箱状のケース体４に、液晶表示部５や複数のスイッチ６、図示しない音声スイッチなどの電子部品を備えた電装基板７や、スピーカー８、マイク９等の内蔵し、前ケース２の前面側に複数の操作キー１０を挟み込んで保持するカバー１１が取り付けられている。
【００１４】
前ケース２は、透明樹脂で構成されて液晶表示部５の表示内容が視認可能としており、また、電装基板７上の複数のスイッチ６に対応する位置に前後に進退可能な操作子１２が設けられ、各操作子１２に対応する表面には水の進入を防止する防水フィルム１３が貼着されている。
【００１５】
また、前ケース２前面の左右両端寄りにスピーカ用透音孔１４と、マイク用透音孔１５とが開口され、スピーカ用透音孔１４の上方には前ケース２とカバー１１間の空間に入り込んだ水がスピーカ用透音孔１４に直接入るのを阻害するための庇１６が立設され、マイク用透音孔１５にはマイク防水シート１７が貼着されている。
【００１６】
また、スピーカ用透音孔１４とマイク用透音孔１５とを結ぶ直線に直交する方向に渡り前ケース２の表側に突出するように衝立状の表側リブ１８が立設されている。この表側リブ１８は、前ケース２の液晶表示部５に対応して表側に張り出した部位の両端下方にカバー１１裏面と接触しない程度の高さを有して設けられている。
【００１７】
カバー１１は、不透明樹脂で構成され、液晶表示部５と対応する位置に開口された表示開口部１９と、前ケース２のスピーカ用透音孔１４と対応する位置に開口されたスピーカ用透音穴２０と、前ケース２のマイク用透音孔１５と対応する位置に開口されたマイク用透音穴２１とが設けられていると共に、操作キー１０が露出するように操作キー１０に対応する位置が開口され、操作キー１０のアーム部１０ａがカバー１１と前ケース２との間に挟まれて固定される。
【００１８】
図２は前ケース２裏面の斜視図で、スピーカ用透音孔１４の周囲には、スピーカー８取り付け用の筒状のスピーカ保持筒部２２が立設され、このスピーカ保持筒部２２の周囲には、スピーカ固定ネジ２３を螺着させるボス部２４と、スピーカ保持筒部２２の剛性を向上させる複数の補強リブ２５とが放射状（ここでは約４５°ごと）に配置されている。
【００１９】
スピーカー８は、スピーカー８の前面側周縁部を覆うスピーカパッキン２６と共にスピーカ保持筒部２２内に装着され、スピーカー８の後端にスピーカ押さえ金具２７を介してスピーカ固定ネジ２３が螺着されて前ケース２に固定される。
【００２０】
また、スピーカー８の背面位置には、後ケース３の円筒部２８に装着された多孔性の吸音材２９が配置され、スピーカー８の背面からマイク９側への音の回り込みを抑制している。
【００２１】
マイク用透音孔１５の周囲には、マイク９取り付け用の筒状のマイク保持筒部３０が立設され、マイク９はゴム製のマイクホルダ３１に覆われた状態でマイク保持筒部３０に装着され、マイクホルダ３１の後端が電装基板７によって押さえられて前ケース２に固定される。
【００２２】
そして、スピーカ用透音孔１４とマイク用透音孔１５とを結ぶ直線に直交する方向に渡り前ケース２の裏側に突出するように衝立状の裏側リブ３２が立設されている。この裏側リブ３２は、液晶表示部５の左右方向の中央付近に複数本（ここでは２本）設けられ、スピーカー８から距離を有して設けられている。
【００２３】
図３はカバー１１裏面の斜視図で、表示開口部１９の両脇に上下に渡ってカバー１１の裏側に突出するように衝立状のカバー側リブ３３が設けられている。このカバー側リブ３３は、カバー１１を前ケース２に取り付けた際に、表側リブ１８よりも外側、すなわちスピーカー８側の表側リブ１８よりもスピーカー８側になり、マイク９側の表側リブ１８よりもマイク９側になる位置に前ケース２表面と接触しない程度の高さを有して設けられている。
【００２４】
そして、上記のインターホンリモコン装置１がそれぞれ別の場所に一つずつで一組設置され、インターホンリモコン装置１同士で双方向同時通話方式によるインターホン通話を可能としている。
【００２５】
この双方向同時通話方式による通話中はスピーカー８とマイク９が双方有効に作動し、両インターホンリモコン装置１のマイク９から集音した音を音声スイッチにより比較し、大きい音を発している側のインターホンリモコン装置１に送話権が付与される。ここで、最初に送話権が付与されたインターホンリモコン装置１をリモコンＡと呼び、最初に送話権が付与されなかったインターホンリモコン装置１をリモコンＢと呼ぶこととする。
【００２６】
そして、リモコンＡのマイク９で集音した音をリモコンＢのスピーカー８で発音し、そのとき並行して、リモコンＢのマイク９で集音した音は音声スイッチに送られてリモコンＡのマイク９で集音した音と比較し続ける。
【００２７】
リモコンＢのマイク９で集音した音がリモコンＡのマイク９で集音した音よりも大きくなると、送話権をリモコンＡからリモコンＢへ切り替えて付与し、リモコンＢのマイク９で集音した音をリモコンＡのスピーカー８で発音し、そのとき並行して、リモコンＡのマイク９で集音した音は音声スイッチに送られてリモコンＢのマイク９で集音した音と比較し続けることで、双方向同時通話方式でのインターホン通話が行われる。
【００２８】
従って、送話権が付与されていない側のインターホンリモコン装置１では、スピーカー８での発音がマイク９に回り込む可能性が常に生じるが、スピーカー８は、スピーカパッキン２６を介してスピーカ保持筒部２２および前ケース２に接していると共に、スピーカ保持筒部２２が放射状に配された補強リブ２５によって剛性強化されているため、スピーカー８から前ケース２に振動が伝わりにくくなり、スピーカー８と同じく前ケース２に固定されたマイク９へ固体伝播する振動が減少してハウリングが起こりにくくなる。
【００２９】
また、前ケース２にスピーカー８から伝わった振動は、スピーカー８からマイク９側への振動の進行方向に直交する方向に剛性強化した裏側リブ３２および／または表側リブ１８が存在することによって、前ケース２を伝ってスピーカー８から裏側リブ３２および表側リブ１８を超えてマイク９へ向かう振動が減衰され、マイク９へ固体伝播する振動が減少してハウリングが起こりにくくなる。
【００３０】
一方、前ケース２の表面側とカバー１１の裏面側との間の空間をスピーカー８から発せられた音がマイク９へ周り込もうとするが、カバー側リブ３３と表側リブ１８とによる障壁が２本ずつ計４本存在するため、この空間を伝播する音を遮り、スピーカー８からマイク９に回り込む音を減少させてハウリングが起こりにくくなる。
【００３１】
なお、本発明は上記一実施形態に限定されるものではなく、発明の要旨を変更しない範囲で改変可能なものである。
【符号の説明】
【００３２】
１  インターホンリモコン装置
２  前ケース
３  後ケース
７  電装基板
８  スピーカー
９  マイク
１１  カバー
１４  スピーカ用透音孔
１５  マイク用透音孔
１８  表側リブ
２２  スピーカ保持筒部
２５  補強リブ
３２  裏側リブ
３３  カバー側リブ
【図１】
2014192779.tif 000003
【図２】
2014192779.tif 000004
【図３】
2014192779.tif 000005